(57)【要約】  カプセル本体が樹脂製であり、構造的に弱く、また、避難の場面しか使用できない。  避難カプセル１は、鉄鋼製の箱型の構造体２と、構造体２の前部に設けた鉄鋼製扉３と、構造体２の後部に設けた錘４と、内部空間５と、フック６と、吊り下げ部７と、を備え、錘４がコンクリート及び／又は鉄鋼板から構成され、構造体２の大きさは、縦２５００ｍｍ、横１４００ｍｍ、高さ１１００ｍｍが例示され、フック６と、吊り下げ部７は、構造体２の前部に設け、構造体２の壁は、コンクリート板を２枚以上の鉄板（コンクリートの厚みより薄く設定）で挟持したもので、鉄板の厚み３ｍｍ、コンクリート板の厚み６ｃｍが例示される。
2017047026.tif 000002
【特許請求の範囲】
【請求項１】
鉄鋼製の箱型の構造体と、
前記構造体の前部に設けた入口と、
前記構造体の後部に設けた錘と、
を備えた避難カプセル。
【請求項２】
前記構造体が鉄板でコンクリートの両側を挟持し、一体化した構造である請求項１の避難カプセル。
【請求項３】
前記錘がコンクリート及び／又は鉄鋼板から構成された請求項１又は２の避難カプセル。
【請求項４】
入口から下方に避難シュートを設けた請求項１ないし３いずれかの避難カプセル。
【請求項５】
天井の吊り下げられて昇降可能なつっかえ棒を設け、鉄鋼製扉に受け部を設け、前記つっかえ棒を前記受け部に装着し、前記つっかえ棒が前記鉄鋼製扉を内側から支持する請求項１ないし４いずれかの避難カプセル。
【請求項６】
上下、又は、左右に連結し、集合体構造とする請求項１ないし５いずれかの避難カプセル。
【発明の詳細な説明】
【技術分野】
【０００１】
本発明は、既設建築物の建物内、又は、この近傍に設置可能な防災用避難用の避難カプセルに関する。
【背景技術】
【０００２】
特許文献１の発明によれば、多くの家庭で購入する事ができて、庭の片隅に置き、水害時に、軽量で強度にすぐれたカプセルの中に避難する事により、津波等の水害から避難を可能とする安価な津波救命カプセルを提供するため、概ね枡形で下部が括れた形状のカプセル本体１１を樹脂で一体成型し、カプセル本体の上部に防水シートカバー５４を被せるための骨組みを構築し、防水シートカバーには出入口扉５６を設け、カプセル本体には少なくとも４人の大人が膝を抱えて座る事が出来る空間を設けると共に、シートベルトを取付け、カプセル本体の下部には重心を下げるための錘とキャスター付台座１７を取付けた発明が提案されている。
【先行技術文献】
【特許文献】
【０００３】
【特許文献１】特開２０１４−５８２９６号公報
【発明の概要】
【発明が解決しようとする課題】
【０００４】
しかしながら、上記の従来技術は、カプセル本体が樹脂製であり、構造的に弱く、また、避難の場面しか使用できないという不都合がある。
【課題を解決するための手段】
【０００５】
そこで、上記の諸課題に鑑みて、本発明は、鉄鋼製の箱型の構造体と、前記構造体の前部に設けた入口と、前記構造体の後部に設けた錘と、を備えた避難カプセルである。【０００６】
前記錘がコンクリート及び／又は鉄鋼板から構成されることが好ましい。【０００７】
入口から下方に避難シュートを設けることが好ましい。【０００８】
天井の吊り下げられて昇降可能なつっかえ棒を設け、鉄鋼製扉を内側から支持することが好ましい。
【発明の効果】
【０００９】
請求項１の発明によれば、災害により水に流されても、錘の作用により、水面から避難カプセルの前部が浮上し、鉄鋼製扉が上部になり、後部が沈下するので、鉄鋼製扉から内部への水の浸入を防止できる。鉄鋼製扉から救助できる。カプセルの強度の向上で安全性が高くなる。簡単な構造であるので、住宅内または住宅の近傍に配置できるので、通常の生活にも活用できる。【００１０】
避難カプセルは、地震だけでなく、津波そして火災、土石流という二次災害にも耐えられ、そして、高齢者や障碍者も安全に避難することができる、極端現象が懸念される現代において必要性が高く、革新的でより安心できる性能を提供できる。【００１１】
製造コストや工期を削減しながら安全な避難カプセルを提供することができる。また、小型にすることができ、避難カプセルの設置面積を小さくでき、法規制が免除されることで、建築コストを削減できる。さらに海面から鉄鋼製蓋を開けて、中に出入りができる。【００１２】
住宅とセットで建設しコストを抑えることができる。。【００１３】
避難カプセルは、自宅などの住宅の近傍に配置できるため、緊急時に地上から中に出入りができ、すぐに避難できる。【００１４】
請求項２の発明によれば、前記構造体が鉄板でコンクリートの両側を挟持し、一体化したので、コストを削減しつつ安全性を高くできる。【００１５】
請求項３の発明によれば、前記錘がコンクリート及び／又は鉄鋼板から構成されたので、コスト削減効果が高い。【００１６】
請求項４の発明によれば、入口から下方に避難シュートを設けたので、緊急避難が容易である。【００１７】
請求項５の発明によれば、つっかえ棒により、鉄鋼製扉を内側からロックできるので、災害時に鉄鋼製扉が外力で開放しないよう、鉄鋼製扉の耐圧性を高めることができる。不使用時につっかえ棒を天井など、邪魔にならない箇所に収容できる。【００１８】
請求項６の発明によれば、避難カプセルを上下又は左右に連結し、集合カプセルとして活用できるので、他人数にも対応できる。
【図面の簡単な説明】
【００１９】
【図１】本発明第１実施形態の避難カプセルの平面図である。
【図２】本発明第１実施形態の避難カプセルの斜視図である。
【図３】本発明第１実施形態の避難カプセルが災害時に海面に浮く様子を示す説明図である。
【図４】（ａ）（ｂ）は、本発明第２及び第３実施形態の避難カプセルの斜視図である。
【図５】本発明第４実施形態の避難カプセルの斜視図である。
【図６】本発明第４実施形態の避難カプセルの階段の側面図である。
【図７】本発明第１から３実施形態のつっかえ棒が天井から昇降する機構を示す説明図である。
【発明を実施するための形態】
【００２０】
本発明の好適な実施形態について図面を参照して説明する。図１〜図３に示す通り、本発明第１実施形態の避難カプセル１は、鉄鋼製の箱型の構造体２と、構造体２の前部に設けた鉄鋼製扉３と、構造体２の後部に設けた錘４と、内部空間５と、フック６と、吊り下げ部７と、を備えている。フック６と、吊り下げ部７は、構造体２の前部に設けている。
【００２１】
避難カプセル１の内部空間５には２段ベッドを配置することができるので、一般住宅でも避難時以外の通常でも使用が可能である。避難カプセル１は、住宅１００の内部に配置され、外から、又は中から入ることができるように選択して配置できる。住宅１００は基礎１０１を備える。住宅１００の他、敷地内には、駐車場１０２を設け自動車１０３の区画を設けてある。また、庭３００の周囲には、適宜、フェンス４００を設けてある。
【００２２】
避難カプセル１は、水深２０メートルで水圧２００ｋＮ/ｍ２に耐えうるように設計される。また、台風・竜巻にも耐えうる。鉄鋼製扉３を、耐激突性能、津波による激突物の衝撃に耐えうるために２重蓋構造とし、耐衝撃性を高めてもよい。
【００２３】
避難カプセル１の設計は、構造体２の鉛直荷重時、津波荷重時を計算した本体の設計、構造体２設置時の基礎を鉛直荷重時の計算を基に行う。また、津波荷重時の計算に基づき、本体周りのコンクリート打ち及び周辺基礎との連結をおこなうことができる。なお、津波波圧算定式は、東日本大震災における津波による建築物被害を踏まえた新ガイドラインに従って、算出する。また、基礎の計算は、道路標識に使用される基礎の土中埋め込み式基礎の計算式に従って算出する。
【００２４】
建築面積は法規制が免除される１０ｍ２以内（たとえば９ｍ２以内）に設定することが好ましい。構造体２のサイズは、１人当たり１.５ｍ３の必要空間として換算とする。一般家族用４人の収容とする。４人×１.５ｍ３＝６.０ｍ３となる。既設建物や収容人数などの条件によって構造体２のサイズの変更が可能である。
【００２５】
建物の屋外に埋設する場合を示したが建物の屋内に設置する場合にも適用可能である。
【００２６】
構造体２の平面的な設置場所は、災害時に避難カプセル１が避難時に住宅１００から分離し易い場所を選定する。
【００２７】
構造体２の大きさは、縦２５００ｍｍ、横１４００ｍｍ、高さ１１００ｍｍが例示される。構造体２の壁は、コンクリート板を２枚以上の鉄板（コンクリートの厚みよりも厚みを薄く設してある）で両側から挟持し、一体化したものである。鉄板の厚み３ｍｍ、コンクリート板の厚み６ｃｍが例示される。構造体２の内壁に断熱材と、断熱材の内側にサイディングと、を設けても良い。座るところには、エアバック式のうきわを配置する。
【００２８】
鉄鋼製扉３は一重、または、二重の扉構造であり、耐火構造となっている。ヒンジによる片開きが好ましい。
【００２９】
錘４がコンクリート及び／又は鉄鋼板から構成されている。
【００３０】
内部空間５内には酸素ボンベが用意してある。酸素を吹き出すことで、救命の可能性が高くなる。
【００３１】
内部空間５内の酸素容量では、酸素呼吸が持たないので、事前に搭載してある酸素ボンベからの酸素供給を行う。酸素ボンベについては、収容人数、子供、大人などの条件によって異なるので、カプセル１内部に滞在できるための容量を確保する。
【００３２】
適切な酸素濃度の確保のため、避難カプセル１内部の安全・安心な居住性を保つために必要な酸素、二酸化炭素の濃度が室内の濃度計で分かるようにし、適切な基準値でなくなった場合には備え付けの酸素缶を噴射することで酸素濃度の調整を行う事を可能にしている。また、二酸化炭素も同様に濃度調整も可能にしていく。ここでの目標値カプセル１内部の酸素濃度２０％である。必要な装置としては、酸素供給器具セット、気圧調整器具、二酸化炭素低減器具セット等である。酸素濃度下限値は空気中の酸素の割合が安全限界の１８％で、二酸化炭素濃度上限値は前記空気中の二酸化炭素の割合が労働衛生上の長期安全限界の０．５％が例示される。
【００３３】
構造体２の内部の気体の圧力を抜く減圧弁（逆止弁）も備えている。水道のパーツも備えている。二酸化炭素の増え過ぎを防止するため、二酸化炭素を消石灰水溶液又はゼオライトで吸着して二酸化炭素を減らすようにしてある。太陽光発電パネルにより蓄電池が満タンになっているので、その蓄電池が消石灰のポンプを駆動させ続けるように構成している。
【００３４】
モニターを複数（ここでは２か所）設けている。外気温、内気温、酸素濃度、二酸化炭素の濃度を所定時間（たとえば３０分）おきに記入できる。真冬の場合、津波が浸入して来たら外気温度計の温度が上がるので、津波が来たのが夜中でもわかる。モニターには酸素濃度、二酸化炭素濃度等も表示できる。
【００３５】
構造体２の内部空間５内に携帯電話、衛星電話、トランシーバー等の通信機能を備えている。簡易トイレ、ＡＥＤ、防災グッズ等も備えている。
【００３６】
フック６と、吊り下げ部７は、構造体２を釣り上げ、移動させるものである。
【００３７】
つぎに避難カプセルの製造方法と工事方法について説明する。
【００３８】
構造体２は六面の壁体を溶接で貼りあわせて製造し、鉄鋼製扉３を取り付けて、フック６、吊り下げ部７を溶接等で固定する。接着、緊締具等の他の接合手段でもよい。
【００３９】
構造体２は現場施工であるが、予め工場で製造して搬入してもよく、この場合、大量生産に好適である。この部品は、重量があるのでトラッククレーンにて、住宅１００内に搬入または近傍に適宜数を適宜配置する。
【００４０】
本実施形態の効果を説明する。
【００４１】
災害時に、図３に示す通り、災害により水に流されても、錘４の作用により、海面Lから避難カプセル１の前部が浮上し、鉄鋼製扉が上部になり、後部が沈下するので、鉄鋼製扉３から内部への水の浸入を防止できる。鉄鋼製扉３から救助できる。住宅内または住宅の近傍に配置できるので、通常の生活にも活用できる。例えば、通常で、寝室として利用できる。
【００４２】
避難カプセル１は、地震だけでなく、津波そして火災、土石流という二次災害にも耐えられ、そして、高齢者や障碍者も安全に避難することができる、極端現象が懸念される現代において必要性が高く、革新的でより安心できる性能を提供できる。
【００４３】
製造コストや工期を削減しながら安全な避難カプセル１を提供することができる。また、小型にすることができ、避難カプセル１の設置面積を小さくでき、法規制が免除されることで、建築コストを削減できる。さらに海面から鉄鋼製蓋３を開けて、中に出入りができる。
【００４４】
住宅とセットで建設しコストを抑えることができる。例えば、年収３００万円台から４００万円台の所得層に賃貸住宅の家賃並みの価格で安全なカプセル１付住宅を提供できる。住宅１００に配置する構造とすることで避難カプセル１単体での建設よりコストダウンを図ることができる。例えば、延べ床面積３３坪の住宅の庭に避難カプセル１を付けた状態で１６００万円台での販売が可能となる。これは平均的な建売住宅の住宅に避難カプセル１という付加価値を提供するものである。そして、何よりも、一人でも多くの命を守るとの国家的な使命・役割にも貢献できる。さらに、住宅＋土地情報＋カプセル１をセットにして販売することが可能となる。基礎杭が省略できることで、さらにコスト削減が可能である。
【００４５】
避難カプセル１は、自宅などの住宅１００の近傍に配置しているため、緊急時に地上から中に出入りができ、すぐに避難できる。緊急時でも即座に避難できる。高齢者・障碍者・幼児でも、地震警報発生から３分以内に避難でき、津波に対しては水没をしても、少なくとも３日間は酸素等、生命維持に必要なものを確保できるものとし、安全・安心に暮らせる環境を提供することができる。
【００４６】
特に、沿岸部地域に居住、或いは、居住を希望されている人に対して津波の心配を解消した安心・安全な住宅を提供することができる。
【００４７】
耐水圧性能が２気圧（水深２０ｍ相当）であり、避難カプセル１が水没した時を想定して酸素等の空気調整機能を持つので、例えば、大人４人でも、少なくとも３日間は避難カプセル１内で暮らせる食糧、水を保管できる。
【００４８】
構造体２がプレキャストコンクリート構造であると、仮枠を作って外す手間や廃棄代金を省略できる。
【００４９】
鉄鋼製扉３を鉄板の防耐火ボードの二重扉構造とすると、防耐火性能が高まる。
【００５０】
本発明実施形態２、３の避難カプセル２０１、３０１について、図４（ａ）（ｂ）を参照して説明する。避難カプセル１と共通する構成は２００番台、３００番台の符号として説明を略し、相違点を説明する。ここでは、支持脚２０８，３０８上に避難カプセル２０１、３０１が設置されている。図４（ａ）の避難カプセル２０１は横方向に横並びに隣接させた配置したものであり、図４（ｂ）は避難カプセル３０１を縦方向に積み上げたものである。このように集合体構造とすることで、他人数にも対応が可能である。
【００５１】
本発明実施形態４の避難カプセル４０１について、図５を参照して説明する。避難カプセル１と共通する構成は４００番台として説明を略し、相違点を説明する。扉４０３から下方に延び出す避難シュート４０９を設けたものである。図６に示す通り、避難シュート４０９に代えて、階段４５０を配置し、その上に軟質材からなる空気袋４５１を設けて、老人子供でも扉４０３から容易に内部空間４０５に入ることができるようにしてある。避難シュート４０９により、緊急時の対応が容易である。
【００５２】
また、上記各実施形態では、内部空間５において、鉄鋼製扉３のつっかえ棒８を鉄鋼製扉３と錘内壁の間に配置して、鉄鋼製扉３が外力で開放しないようにすることも可能である。図７に示す通り、例えば、つっかえ棒８は、避難時に、天井の昇降ユニット１０（例えば、「ホシ姫サマ」（登録商標：パナソニック製）を例示できる。）の昇降コード９に取り付け、下方に降ろすことができる。天井に吊り下げられて昇降可能なつっかえ棒８を設け、鉄鋼製扉３に受け部１１、錘４（又は後壁でもよい）に受け部１２を設け、つっかえ棒８を受け部１１、１２に装着し、つっかえ棒８が鉄鋼製扉３を内側から支持する構造である。図３に示す通り海面に浮かんだ時には、つっかえ棒８を外して、鉄鋼製扉３が開放できるようになっている。つっかえ棒は、梯子としても利用できる。トイレ、冷蔵庫、蓄電池、酸素缶等を備えることができる。
【００５３】
以上の実施形態は、本発明の実施のための好ましい実施形態の例示である。また、当業者は、本発明の開示に鑑みて、本発明の要旨から離れることなく多数の改良、変更、置換、欠失、追加等が可能である。
本実施形態では構造体２は角筒と丸筒、内部空間を角柱と円柱としたが、それぞれ、小判形状、団子形状、おむすび型、三角形等、種々の形状で実施が可能である。
【産業上の利用可能性】
【００５４】
家庭用の避難カプセル１を安価で工期も短縮して提供でき、津波、火災、竜巻等に対して安心安全な環境を提供できる。特に、沿岸部において、その産業上の利用価値は大である。
【符号の説明】
【００５５】
１、２０１、３０１、４０１・・・避難カプセル
２，２０２，３０２，４０２・・・構造体
３，２０３，３０３・・・鉄鋼製扉
４，２０４，３０４，４０４・・・錘
５・・・内部空間
６・・・フック
７・・・吊り下げ部
８・・・つっかえ棒
９・・・昇降コード
１０・・・昇降ユニット
１１，１２・・・受け部
１００・・・住宅
Ｌ・・・海面
２０８，３０８・・・支持脚
４０３・・・扉
４０５・・・内部空間
４０９・・・避難シュート
４５０・・・階段
４５１・・・空気袋
【図１】
2017047026.tif 000003
【図２】
2017047026.tif 000004
【図３】
2017047026.tif 000005
【図４】
2017047026.tif 000006
【図５】
2017047026.tif 000007
【図６】
2017047026.tif 000008
【図７】
2017047026.tif 000009
【国際調査報告】
2017047026.tif 000010
2017047026.tif 000011
2017047026.tif 000012
2017047026.tif 000013